(57)【要約】      （修正有）【課題】無線信号に符合化されたデータビットを抽出する方法を提供する。【解決手段】デコーダ回路（１０）は、アンテナ（１１）に接続され、アンテナ（１１）によって発生された電気信号（１１０）から、符合化されたデータビットを抽出するように構成されている。デコーダ回路（１０）は、アナログデジタルコンバータ（１２）を備える。アナログデジタルコンバータ（１２）は、アンテナ（１１）に直接接続され、アンテナ（１１）によって発生された電気信号（１１０）からデジタル入力信号（１３）を発生させる。ビット抽出器（１４）は、アナログデジタルコンバータ（１２）に接続され、アナログデジタルコンバータ（１２）が発生したデジタル入力信号（１３）からデータビットを抽出する。【選択図】図１
2018007240.tif 000002
【特許請求の範囲】
【請求項１】
ＲＦＩＤ受信器（１）であって、
ＲＦＩＤ送信器（２）から無線信号（２０）を受信するように構成され、前記ＲＦＩＤ送信器（２）から受信された前記無線信号（２０）から電気信号（１１０）を発生させるように構成されたアンテナ（１１）と、
前記アンテナ（１１）に接続され、前記アンテナ（１１）によって発生された前記電気信号から、前記電気信号（１１０）に符合化されたデータビットを抽出するように構成されたデコーダ回路（１０）と、
を備え、
前記デコーダ回路（１０）は、アナログデジタルコンバータ（１２）およびビット抽出器（１４）を備え、
前記アナログデジタルコンバータ（１２）は、前記アンテナ（１１）に直接接続され、前記アンテナ（１１）によって発生された前記電気信号（１１０）からデジタル入力信号（１３）を発生させるように構成され、
前記ビット抽出器（１４）は、前記アナログデジタルコンバータ（１２）に接続され、前記アナログデジタルコンバータ（１２）によって発生された前記デジタル入力信号（１３）から前記データビットを抽出するように構成される、ＲＦＩＤ受信器（１）。
【請求項２】
前記ビット抽出器（１４）は、パルス抽出器（１４０）およびビット検出器（１４４）を備え、前記パルス抽出器（１４０）は、前記アナログデジタルコンバータ（１２）によって発生された前記デジタル入力信号（１３）からサブビットパルス（１７ａ、１７ｂ）を抽出するように構成され、前記ビット検出器（１４４）は、前記サブビットパルス（１７ａ、１７ｂ）内のデータビットを検出するように構成される、請求項１に記載のＲＦＩＤ受信器（１）。
【請求項３】
前記ビット抽出器（１４）は、低域フィルタ（１４１）を備え、前記低域フィルタ（１４１）は、前記アナログデジタルコンバータ（１２）によって発生された前記デジタル入力信号（１３）からサブビットパルス（１５）を抽出するように構成される、請求項１または２に記載のＲＦＩＤ受信器（１）。
【請求項４】
前記低域フィルタ（１４１）は、移動平均フィルタとして実装される、請求項３に記載のＲＦＩＤ受信器（１）。
【請求項５】
前記ビット抽出器（１４）は、高域フィルタ（１４２）を備え、前記高域フィルタ（１４２）は、前記デジタル信号（１３）からＤＣ成分を除去するように構成される、請求項１〜４のいずれか一項に記載のＲＦＩＤ受信器（１）。
【請求項６】
前記高域フィルタ（１４２）は、前記デジタル信号（１３）の移動最大値から前記デジタル入力信号（１３）の移動最小値を引くことによって前記ＤＣ成分を除去するように構成される、請求項５に記載のＲＦＩＤ受信器（１）。
【請求項７】
前記パルス抽出器（１４０）は、移動平均フィルタ（１４３ａ）を備え、前記移動平均フィルタ（１４３ａ）は、前記デジタル信号８１３）のフィルタ処理されていないサブビットパルス（１５）から前記サブビットパルスを発生させるように構成される、請求項２〜６のいずれか一項に記載のＲＦＩＤ受信器（１）。
【請求項８】
前記パルス抽出器（１４０）は、前記パルス抽出器の移動平均フィルタ（１４３ａ）の下流側に配置された低域フィルタ（１４３ａ）を更に備える、請求項７に記載のＲＦＩＤ受信器（１）。
【請求項９】
前記ビット抽出器（１４）は、サブサンプリングモジュール（１４５）を備え、前記サブサンプリングモジュール（１４５）は、低いサンプリングレートで前記パルス抽出器（１４０）によって抽出された前記サブビットパルス（１７ａ、１７ｂ）をサンプリングするように構成され、前記低いサンプリングレートは、前記デジタル信号（１３）を発生させる為に前記アナログデジタルコンバータ（１２）によって使用される前記サンプリングレートより低い、請求項２〜８のいずれか一項に記載のＲＦＩＤ受信器（１）。
【請求項１０】
前記ビット抽出器（１４）は、前記サブビットパルス（１７ａ、１７ｂ）からデータビットを決定する為の移動判定閾値（１８３）を発生させるように構成される、請求項１〜９のいずれか一項に記載のＲＦＩＤ受信器（１）。
【請求項１１】
前記ビット抽出器（１４）は、前記移動判定閾値（１８３）を用いて、変動サンプリングポイント（１８４）を判定し、前記変動サンプリングポイント（１８４）を用いて前記サブビットパルス（１７ａ、１７ｂ）をサンプリングするように構成される、請求項２〜１０のいずれか一項に記載のＲＦＩＤ受信器（１）。
【請求項１２】
前記アナログデジタルコンバータ（１２）は、電子回路を備え、前記電子回路は、前記アンテナ（１１）によって発生された前記電気信号（１１０）から前記デジタル入力信号（１３）を発生させるように構成され、
前記電気回路は、ダイオードフリーの電気接続で前記アンテナ（１）に接続される、請求項１〜１１のいずれか一項に記載のＲＦＩＤ受信器（１）。
【請求項１３】
前記ビット抽出器（１４）は、プロセッサ（１４ａ）およびコンピュータプログラムコード（１４ｂ）を備え、前記コンピュータプログラムコード（１４ｂ）は、前記アナログデジタルコンバータ（１２）によって発生された前記デジタル入力信号（１３）から前記データビットを抽出させるように前記プロセッサ（１４ａ）を導くように構成される、請求項１〜１２のいずれか一項に記載のＲＦＩＤ受信器（１）。
【請求項１４】
前記アンテナ（１１）は、ＲＦＩＤトランスポンダのＲＦＩＤ送信器（２）から無線信号（２０）を受信し、前記ＲＦＩＤトランスポンダの前記ＲＦＩＤ送信器（２）から受信された前記無線信号（２０）から電気信号を発生させるように構成される、請求項１〜１３のいずれか一項に記載のＲＦＩＤ受信器（１）。
【請求項１５】
ＲＦＩＤ送信器（２）から受信される無線信号（２０）に符合化されたデータビットを抽出する方法であって、
ＲＦＩＤ受信器（１）のアンテナ（１１）において、前記ＲＦＩＤ送信器（２）から受信される前記無線信号（２０）から電気信号を発生させるステップと、
アナログデジタルコンバータ（２）を前記アンテナ（１１）に直接接続するステップと、
前記アナログデジタルコンバータ（１２）において、前記アンテナ（１１）によって発生された前記電気信号（１１０）からデジタル入力信号（１３）を発生させるステップと、
前記アナログデジタルコンバータ（１２）にビット抽出器（１４）を接続するステップと、
前記アナログデジタルコンバータ（１２）によって発生される前記デジタル入力信号（１３）から前記データビットを前記ビット抽出器（１４）によって抽出するステップと、
を有する、方法。
【発明の詳細な説明】
【発明の分野】
【０００１】
本発明は、ＲＦＩＤ送信器から受信された無線信号に符合化されたデータビットを抽出する方法およびＲＦＩＤ受信器に関する。
【０００２】
【発明の背景】
【０００３】
アクセスコントロールシステム、支払いシステム、他の短距離および／または近距離無線通信（ＮＦＣ）応用、ロジスティックおよびレーダー応用におけるＲＦＩＤ送信器およびトランスポンダ（例えば、ＩＳＯ１４４４３、ＩＳＯ１５６９３、独自の実装に応じたＲＦＩＤデバイス）の使用および実装の増加が、モバイル（通信）デバイスにおけるＲＦＩＤ受信器および送受信装置の配備の更なる増加を導いた。特に、ＲＦＩＤ受信器および送受信装置が、モバイルフォン（スマートフォン）または身体に装着されたデバイス（例えば、腕に装着された電子スマートウォッチ）のような携帯可能なモバイルデバイスに実装されるとき、これらのＲＦＩＤ受信器および送受信装置を実装する為に必要な電子コンポーネントは、これらのモバイルデバイスの全体の大きさ及び重量に著しく関与する。さらに、改善された追加特徴および機能で柔軟かつ規則的にアップデートされる、これらのモバイルデバイスのファーム及びソフトウェアモジュールの、ますます短いライフサイクルとは逆に、ＲＦＩＤ受信器および送受信装置は変更されないままであるが、これは、これらのモバイルデバイス内のハードウェアコンポーネントを変更することが、あまりにも骨の折れる仕事であり、費用が高く、実用的ではないと考えられているからである。
【発明の概要】
【０００４】
本発明は、ＲＦＩＤ送信器から受信された無線信号に符合化されたデータビットを抽出するＲＦＩＤ受信器および方法を提供することを目的とし、これらのＲＦＩＤ受信器および方法は、従来技術の欠点のうち少なくとも一部を持たない。
【０００５】
本発明によると、これらの目的は、独立形式請求項の特徴によって達成される。さらに、実施形態の更なる利益は、従属形式請求項および説明から得られる。
【０００６】
ＲＦＩＤ受信器は、アンテナを備え、アンテナは、ＲＦＩＤ送信器から無線信号を受信し、ＲＦＩＤ送信気から受信された無線信号から電気信号を発生させるように構成される。
【０００７】
本発明によると、前述した目的は、ＲＦＩＤ受信器がデコーダ回路を更に備えること、デコーダ回路が、アンテナに接続され、アンテナから発生された電気信号から、電気信号に符合化されたデータビットを抽出するように構成されることで、特に達成される。デコーダ回路は、アナログデジタルコンバータを備え、アナログデジタルコンバータは、アンテナに直接接続され、アンテナによって発生された電気信号からデジタル入力信号を発生させるように構成される。デコーダ回路が更に備えるのは、アナログデジタルコンバータに接続され、アナログデジタルコンバータによって発生されたデジタル入力信号からデータビットを抽出するように構成される、ビット抽出器である。アナログデジタルコンバータを備えたデコーダ回路をアンテナに直接接続すること、アナログデジタルコンバータによって発生されたデジタル入力信号からデコーダ回路のビット抽出器によってデータビットを抽出することは、ダイオードやトランジスタのような電子構成要素が無く、復調や他の信号調整のような信号処理の為のデコーダ回路に対して外部に配置され実装される必要が無いという利点がある。
【０００８】
実施形態において、ビット抽出器は、パルス抽出器およびビット検出器を備え、パルス抽出器は、アナログデジタルコンバータによって発生されたデジタル入力信号からサブビットパルスを抽出し、ビット検出器は、サブビットパルス内のデータビットを検出するように構成される。
【０００９】
更なる実施形態において、ビット抽出器は、低域フィルタを備え、低域フィルタは、アナログデジタルコンバータによって発生されたデジタル入力信号からサブビットパルスを抽出するように構成される。
【００１０】
実施形態において、低域フィルタは、移動平均フィルタとして実装される。
【００１１】
更なる実施形態において、ビット抽出器は、高域フィルタを備え、高域フィルタは、デジタル信号からＤＣ成分を除去するように構成される。
【００１２】
実施形態において、高域フィルタは、デジタル入力信号の移動最小値をデジタル信号の移動最大値から引くことによってＤＣ成分を除去するように構成される。
【００１３】
更なる実施形態において、パルス抽出器は、移動平均フィルタを備え、移動平均フィルタは、デジタル信号の、フィルタ処理されていないサブビットパルスからサブビットパルスを発生させるように構成される。
【００１４】
実施形態において、パルス抽出器は、低域フィルタを更に備え、低域フィルタは、パルス抽出器の移動平均フィルタの下流側に配置される。
【００１５】
更なる実施形態において、ビット抽出器は、サブサンプリングモジュールを備え、サブサンプリングモジュールは、低いサンプリングレートでパルス抽出器によって抽出されたサブビットパルスをサンプリングするように構成され、低いサンプリングレートは、デジタル信号を発生させるためにアナログデジタルコンバータによって使用されたサンプリングレートより低い。
【００１６】
実施形態において、抽出器は、サブビットパルスからデータビットを決定する為に移動判定閾値を発生させるように構成される。
【００１７】
更なる実施形態において、ビット抽出器は、移動判定閾値を使用して変動（varying）サンプリングレートを決定し、変動サンプリングポイントを使用してサブビットパルスをサンプリングするように構成される。移動判定閾値に応じて時間で変動するサンプリングポイントを使用することの利点は、ＲＦＩＤ受信器が搬送周波数（位相変調）および／または振幅（振幅変調）の揺らぎに対して、より耐性を有することである。
【００１８】
実施形態において、アナログデジタルコンバータは、電子回路を備え、アンテナによって発生された電気信号からデジタル入力信号を発生させるように構成され、電子回路は、ダイオードフリー電気接続でアンテナに接続される。
【００１９】
更なる実施形態において、ビット抽出器は、プロセッサおよびコンピュータプログラムコードを備え、コンピュータプログラムコードは、アナログデジタルコンバータによって発生されたデジタル入力信号からデータビットを抽出するようにプロセッサを導くように構成される。コンピュータプログラムコードによってビット抽出器を実装することによって、新しく、さらに／または改善された特徴および／または機能で、ビット抽出器を柔軟に更新することが可能になる。
【００２０】
実施形態において、アンテナは、ＲＦＩＤトランスポンダのＲＦＩＤ送信器から無線信号を受信し、ＲＦＩＤトランスポンダのＲＦＩＤ送信器から受信された無線信号から電気信号を発生させるように構成される。
【００２１】
ＲＦＩＤ受信器に加えて、本発明は、同様に、ＲＦＩＤ送信器から受信された無線信号に符合化されたデータビットを抽出する方法に関する。その方法は、ＲＦＩＤ受信器のアンテナにおいて、ＲＦＩＤ送信器から受信された無線信号から電気信号を発生させるステップと、そのアンテナをアナログデジタルコンバータに直接接続するステップと、アナログデジタルコンバータにおいて、アンテナによって発生された電気信号からデジタル入力信号を発生させるステップと、そのアナログデジタルコンバータにビット抽出器を接続するステップと、アナログデジタルコンバータによって発生されたデジタル入力信号から、ビット抽出器によって、データビットを抽出するステップと、を含む。
【図面の簡単な説明】
【００２２】
以下、添付図面を参照して、実施例として本発明を詳細に説明する。
【図１】図１は、アンテナ、アナログデジタルコンバータ、ビット抽出器を備えるＲＦＩＤを概略的に示すブロック図を示す。
【図２】図２は、パルス抽出器およびビット検出器を備えるビット抽出器を概略的に示すブロック図を示す。
【図３】図３は、サブサンプリングモジュール、閾値モジュール、シンボル検出モジュール、ビットデコーダを備えるビット検出器を概略的に示すブロック図を示す。
【図４】図４は、受信された無線信号から発生されたデジタル入力信号の一実施例を例示するグラフを示す。
【図５】図５は、受信された無線信号から発生されたデジタル入力信号から抽出されたフィルタ処理されていないサブビットパルスの一実施例を例示するグラフを示す。
【図６】図６は、デジタル入力信号のフィルタ処理されていないサブビットパルスからフィルタ処理されたＤＣフリーサブビットパルスの一実施例を例示するグラフを示す。
【図７】図７は、デジタル入力信号のＤＣフリーサブビットパルスから抽出されたサブビットパルスの一実施例を例示するグラフを示す。
【図８】図８は、デジタル入力信号のサブビットパルスから抽出された低域フィルタ処理されたサブビットパルスの一実施例を例示するグラフを示す。
【図９】図９は、デジタル入力信号から抽出されたサブビットパルスに適用された変動サンプリングポイントおよびデジタル入力信号から抽出されたデータサブビットの一実施例を例示するグラフを示す。
【図１０】図１０は、ＲＦＩＤ送信器から受信された無線信号に符合化されたデータビットを抽出する為の、連続したステップを例示するフロー図を示す。
【好ましい実施形態の詳細な説明】
【００２３】
図１において、参照符合１は、ＲＦＩＤ送信器２から無線信号２０を受信する為のＲＦＩＤ受信器を指す。構成に応じて、無線送信器２は、能動型ＲＦＩＤ送信器または（能動型または受動型）ＲＦＩＤトランスポンダの一部である。たとえば、無線送信器２は、ＩＳＯ１４４４３（１０６キロビットにおけるＩＳＯ１４４４４Ａ及びＩＳＯ１４４４３Ｂ）、ＩＳＯ１５６９３のようなＲＦＩＤ規格に従って、または、占有ＲＦＩＤプロトコルに従って構成される。したがって、ＲＦＩＤ送信器２からの、ＲＦＥＤ受信器１によって受信されて処理された無線信号２０は、１００ＫＨｚ〜６０+ＧＨｚの範囲の搬送周波数を有し、特に、搬送周波数は、ＲＦＩＤ送信器２からのシステムの動作周波数、例えば、６．７８ＭＨｚ、１３．５６ＭＨｚ、または、２７．１２ＭＨｚ（あるいは他の周波数）に設定される。
【００２４】
図１に概略的に例示されているように、ＲＦＩＤ受信器１は、アンテナ１１（例えば、ループアンテナ）、およびアンテナ１１に電気的に接続されたデコーダ回路１０を備える。
【００２５】
デコーダ回路１０は、アナログデジタルコンバータ１２を備え、アナログデジタルコンバータ１２は、受信器のアンテナ１１に直接接続されている。換言すると、アナログ入力信号をデジタル出力信号に変換するように構成されたアナログデジタルコンバータ１２の回路とアンテナ１１との間には、復調や他の信号調整のような信号処理の為にアンテナ１１およびアナログデジタルコンバータの回路の間に配置される中間介在ダイオード、トランジスタ等を有することなく、直接的な電気接続が存在する。要するに、受信器のアンテナ１１とアナログデジタル変換回路１２との間にダイオードの無い電気接続、すなわち、直列においても並列においても（ＧＮＤ）、中間ダイオードを持たない電気接続が存在する。ＲＦＩＤ送信器２から、アンテナ１１によって受信された無線信号２０に応答して、アンテナ１１は、対応する電気信号１１０を発生させる。その入力部で、アナログデジタルコンバータ１２は、直接的な電気接続を通してアンテナ１１から電気信号１１０を受信し、アナログデジタルコンバータ１２の出力部で利用可能な、対応するデジタル入力信号１３を発生させる。
【００２６】
デコーダ回路１０は、ビット抽出器１４を更に備え、ビット抽出器１４は、アナログデジタルコンバータ１２の出力部に接続され、アナログデジタルコンバータ１２からのデジタル入力信号１３を受信するように構成されている。ビット抽出器１４は、デジタル信号からデータビットを抽出するように構成された電気回路を備える。それらの、ＲＦＩＤ送信器２における起点において、送信された無線信号２０にデータビットが符合化されており、その後の、アンテナ１１によって発生される対応電気信号１１０において、更に、アナログデジタルコンバータ１２によって発生される対応デジタル入力信号において、符合化されたまま残されている。実施形態に応じて、ビット抽出器１４の電子回路は、特定用途向け集積回路（ＡＳＩＣ）、フィールドプログラマブルゲートアレイ（ＦＰＧＡ）、中立のロジックアレイ（ＵＬＡ）、又は、図１に例示されているように、アナログデジタルコンバータ１２から受信されるデジタル入力信号１３からデータビットを抽出するようにプロセッサ１４ａを導く為のプラグラムコード１４ｂを備えるプログラムされたプロセッサ１４ａのような論理演算装置である。
【００２７】
図１０に例示されるように、ステップＳ１において、ＲＦＩＤ送信器２からの無線信号２０は、ＲＦＩＤ受信器１のアンテナ１１で受信される。
【００２８】
ステップＳ２において、アンテナ１１は、受信された無線信号２０に応じて、電気信号１１０を発生させる。
【００２９】
ステップＳ３において、電気信号１１０は、アナログデジタルコンバータ１２の入力部で受信される。
【００３０】
ステップＳ４において、アナログデジタルコンバータ１２は、受信された電気信号１１０から、デジタル信号１３を発生させる。
【００３１】
ステップＳ５において、アナログデジタルコンバータ１２からのデジタル信号１３は、ビット抽出器１４の入力部で受信される。
【００３２】
ステップＳ６において、抽出器１４は、受信された無線信号２０またはアナログデジタルコンバータ１２から受信された、対応するデジタル入力信号１３に符合化されたデータサブビット１０００を抽出する。
【００３３】
ステップＳ７において、ビット抽出器１４は、適した復号化規格（例えば、マンチェスタデコーディング）を適用して、抽出されたデータサブビットからデータビットを復号化する。
【００３４】
図２に例示されるように、ビット抽出器１４は、幾つかの機能モジュールおよびサブモジュールを備える。特に、ビット抽出器１４は、パルス抽出器１４０およびビット検出器１４４を備える。パルス抽出器１４０は、アナログデジタルコンバータ１２によって発生されたデジタル入力信号１３からサブビットパルス１７ａ／１７ｂを抽出するように構成される。ビット検出器１４４は、サブビットパルス１７ａ／１７ｂ内のデータビットを検出するように構成される。
【００３５】
図２の実施形態において、パルス抽出器１４０は、低域フィルタ１４１、高域フィルタ１４２、高域フィルタ１４２の下流側に配置された移動平均フィルタ／低域フィルタ１４３ａ／１４３ｂの区画を備える。
【００３６】
図３に例示されるように、ビット検出器１４４は、サブサンプリングモジュール１４５、閾値モジュール１４６，シンボル検出モジュール１４７、ビットデコーダ１４８を備える。
【００３７】
全体としてビット抽出器１４との組合せにおいて前述したように、ビット抽出器１４のサブモジュールおよび機能モジュールは、それぞれのモジュール又はサブモジュールの機能を実装および実行する為にプロセッサ１４ａを制御するように構成されたプログラム済みソフトウェアモジュールとして、または、論理演算装置として、対応して実装される。
【００３８】
図４は、アンテナ１１で受信された無線信号２０に対応する電気信号１１０からアナログデジタルコンバータ１２によって発生されるデジタル入力信号１３の実施例を例示する。１００ＫＨｚから６０+ＧＨｚの範囲内の高い搬送周波数のため、図４では、十分に詳細なＲＦＩＤ送信済み負荷モジュールは識別できない。
【００３９】
図５は、受信された無線信号２０またはアンテナ１１における対応した電気信号１１０から発生され、デジタル入力信号１３から低域フィルタ１４１によって抽出された、フィルタ処理されていないサブビットパルス１５の実施例を例示する。低域フィルタ１４１は、移動平均フィルタとして実装される。ＩＳＯ１４４４３の状況において、移動平均フィルタは、（例えば、ＩＳＯ１４４４３との関係において）最小（最短）信号ユニットにわたって平均し、移動平均フィルタは、８の周期にわたる１３．５６ＭＨｚの発振の平均を築く（当業者は、それぞれの他の規格の要求を満足するように他の設定が使用されることを理解する）。低域フィルタ１４１は、有限インパルス応答（ＦＩＲフィルタ）を用いて実装される。選択的に、パルス抽出器１４は、絶対モジュールを含み、絶対モジュールは、絶対関数Ａｂｓ（）を実行するように構成され、低域フィルタ１４１の下流側に配置され、フィルタ処理されていないサブビットパルス１５を正の値のみに減少させる。
【００４０】
図６は、デジタル入力信号１３のフィルタ処理されていないサブビットパルス１５から高域フィルタ１４２によってフィルタ処理されたＤＣフリーサブビットパルス１６の実施例を例示する。高域フィルタ１４２は、デジタル入力信号１３または対応した電気信号１１０に含まれるＤＣ部分を、それぞれ除去するように構成される。特に、高域フィルタ１４２は、デジタル入力信号１３の移動最大値からデジタル入力信号１３の移動最小値を引くことによってＤＣ成分を除去するように構成される。ＤＣ成分の除去が有する利益は、伝送中の負荷スナッチ（load snatch）が妨害の影響を持たないことである。パルス抽出器１４０は、トリガモジュール（図示せず）を更に含み、トリガモジュールは、（例えば、ＩＳＯ１４４４３の状況において）ＲＦＩＤ送信器２の通信時間枠に適合しない信号をマスキングまたは抑制するように構成され、これらの時間間隔は、ガードタイムＴＲ０、同期時間ＴＲ１、フレーム遅延時間ＦＤＴを含む。これらの信号部分の抑制によって、妨害する過渡現象を抑制し、エネルギを更に保存する（回路は計時されない）ことを可能にする。トリガモジュールは、勾配検出器（シュミットトリガ付き高域フィルタ）を備える。好ましくは、トリガモジュールは、高域フィルタ１４２および後述する移動平均フィルタ／低域フィルタ１４３ａ／１４３ｂの区域の間に配置される。あるいは、トリガモジュールは、高域フィルタ１４２の上流側に配置される。
【００４１】
移動平均フィルタ／低域フィルタ１４３ａ／１４３ｂの区域は、高域フィルタ１４２の下流側に配置され、移動平均フィルタ１４３ａと、任意で、前記移動平均フィルタ１４３ａの下流側に配置される低域フィルタ１４３ｂとを備える。
【００４２】
図７は、デジタル入力信号１３のＤＣフリーサブビットパルス１６または対応した電気信号１１０から、移動平均フィルタ１４３ａによって、それぞれ抽出されるサブビットパルス１７ａの実施例を例示する。図８は、ＤＣフリーサブビットパルス１６から抽出されたサブビットパルス１７ｂの低域フィルタ処理された実施例を例示する。図７および図８から分かるように、それらの長短パルスが区別できるように存在する。たとえば、ＩＳＯ１４４４３の状況において、低域フィルタ１４３ｂは、毎秒１０６キロビットの信号（Ｆpass＝５０ＫＨｚ、Ｆstop＝２００ＫＨｚ、Ａstop＝１２ｄＢ）を処理するように構成される。
【００４３】
図３の実施形態において、ビット検出器１４４は、サブサンプリングモジュール１４５を備える。サブサンプリングモジュール１４５は、たとえば計数ｄs＝６４によって、ビット抽出器１４０によって抽出されたサブビットパルス１７ａ／１７ａを低解像度処理（ダウンサンプリング）するように構成される。削除されたサンプリングポイントは、関連した更なる情報を含まず、ビット検出器１４４にとって必要ではない。したがって、サブサンプリングモジュール１４５の下流側に配置されたビット検出器１４４の機能モジュールは、更なるエネルギ保存を可能にしつつ、低クロックレートで作動可能である。サブサンプリングされたサブビットパルス１８は、図９の上のグラフに例示されているが、閾値モジュール１４６に与えられる。
【００４４】
閾値モジュール１４６は、移動判定閾値を決定するように構成される。このため、閾値モジュール１４６は、サブサンプリングされたサブビットパルス１８から、移動最小値１８１、移動最大値１８２、移動最小値１８１および移動最大値１８２から計算される移動平均値１８３を決定する。図９に例示されるように、移動最小値１８１、移動最大値１８２は、定義された保留時間（最大保留）のために、最小または最大の絶対値で保留される。そのために、シンボルまたは信号フレーム中の信号値の揺らぎには、マイナス効果が無い。移動判定閾値は、移動平均値１８３によって定義される。サブサンプリングされたサブビットパルス１８および移動平均値１８３または移動判定閾値は、それぞれ、シンボル検出モジュール１４７に与えられる。
【００４５】
シンボル検出モジュール１４７は、移動平均値１８３または移動判定閾値を使用して、サブサンプリングされたビットパルス１８３中のシグナリングシンボルを検出するように構成される。特に、シンボル検出モジュール１４７は、サブサンプリングされたサブビットパルス１８および移動平均値１８３または移動判定閾値の交差点１８５に応じて、サブサンプリングされたサブビットパルス１８内のシグナリングシンボルを決定する。図９に例示された実施形態において、シグナリングシンボルは、前記交差点に応じて、サンプリングインスタンス（サンプリングポイントの時間）１８４を決定することによって検出される。図９において、サンプリングインスタンス１８４は、（細い）垂直線によって例示されている。左から最初の（太い）垂直線は、フレーム１８０の開始を例示する。フレーム１８０の開始は、サブサンプリングされたサブビットパルス１８がフレーム閾値の開始を越えるかを検査することによって、シンボル判定モジュールによって決定される。最初のサンプリングインスタンス１８４は、フレーム１８０の開始の後、一つの定義された（規格化された）シンボル継続時間ｓで設定される。後に、サンプリングインスタンス１８４は、交差点１８５の後の定義されたサンプリングオフセットｏにおいてシンボル検出モジュール１４７によって設定され、それによって、サンプリングオフセットｏは、シンボル継続期間ｓの時間内に交差点１８５が無い限り、シンボル継続時間ｓの半分になり、この場合、サンプリングインスタンス１８４は、先行するサンプリングインスタンス１８４の後の一つのシンボル継続時間ｓにおいて設定される。このように、図９の実施例で分かるように、サンプリングインスタンス１８４のタイミングは、時間にわたって変動し、ＲＦＩＤ送信器２から受信された無線信号２０において、搬送周波数（位相変調）および／または振幅（振幅変調）の揺らぎに対してＲＦＩＤ受信器１に耐性を持たせる。さらに、ＲＦＩＤ受信器１は、たとえば他のＲＦＩＤ送信器またはトランスポンダの存在によって生じる無線信号２０の減少に対して、さらに、ＲＦＩＤ送信器２から受信された無線信号２０の低域影響エッジに対して、より耐性を有するようになる。サンプリングされた信号１００は、ビットデコーダ１４８に与えられる。
【００４６】
ビッドデコーダ１４８は、サンプリングされた信号１００からデータビットを復号化するように構成される。図９の下部には、サンプリングされた信号１００から抽出されたサブデータビット１０００が示されている。データサブビット１０００からのデータビットの検出は、マンチェスタデコーディングを使用して実行される。代替実施形態において、シンボルおよびデータサブビットは、サブサンプリングされたサブビットパルス１８の勾配を、それらのタイミングおよびそれぞれの増減に関して分析することによって決定される。
【００４７】
留意すべき点は、上記説明において、コンピュータプログラムコードが特定機能モジュールに関連付けられており、一連のステップが特定の順番で存在するが、当業者は、本発明の範囲から逸脱することなく、コンピュータプログラムコードが異なって構築でき、ステップのうち少なくとも一部の順番が変更できることを理解することである。
【図１】
2018007240.tif 000003
【図２】
2018007240.tif 000004
【図３】
2018007240.tif 000005
【図４】
2018007240.tif 000006
【図５】
2018007240.tif 000007
【図６】
2018007240.tif 000008
【図７】
2018007240.tif 000009
【図８】
2018007240.tif 000010
【図９】
2018007240.tif 000011
【図１０】
2018007240.tif 000012
【外国語明細書】
2018007240000001.pdf